(57)【要約】　　　（修正有）【課題】システム整合の電源管理に応用でき、出力電源をコントロール可能にするプログラマブル電源出力式無停電電源装置を提供する。【解決手段】コンピュータやＰＤＡや他の設備１１などによって通信インターフェースを介して電源出力の作業アレンジメントを設定できると共に、マイクロプロセッサーによって設定される作業アレンジメントを作業アレンジメントレコーダーに記録でき、且つクロックジェネレーターのクロックと作業アレンジメントレコーダーの作業アレンジメントとを合わせることによって出力電源コントロールスイッチが電源出力を実行するかどうかのことをコントロールできるようにし、外部入力の電源がノーマルにならない場合に、内部のバッテリ電源の転換によって電源を設定される作業アレンジメントに従って出力するように設定される。【選択図】　　図１
0003097578.tif 000002
【実用新案登録請求の範囲】
【請求項１】
コントロール信号を生成するマイクロプロセッサーと、
バッテリと、
前記マイクロプロセッサーのコントロール信号に従って前記バッテリに対しチャージングを実行するチャージング電気回路と、
前記マイクロプロセッサーのコントロール信号に従って電源を出力するようにコントロールする出力電源コントロールスイッチと、
前記マイクロプロセッサーのコントロール信号に従ってバッテリの電源を転換して出力するＤＣ／ＡＣ転換電気回路と、
ａ，ｂ，ｃの三つの接点を有し、前記ａ点が一般のＡＣ電源に接続されつつ、前記ｂ点が前記ＤＣ／ＡＣ転換電気回路に接続され、且つ前記ｃ点が出力電源コントロールスイッチとチャージング電気回路と接続しあい、前記マイクロプロセッサーのコントロール信号に従ってａ，ｃまたはｂ，ｃの接続方式に切り替える切換スイッチと、
受け取ったＡＣ電源を検出すると共に、検出結果をマイクロプロセッサーに送信する入力電圧電流検出電気回路と、
クロック情報を生成すると共に、それをマイクロプロセッサーに送信するクロックジェネレーターと、
コンピュータやＰＤＡや他の装置に対し作業アレンジメントをアレンジできると共に、それらのアレンジされた作業アレンジメントを前記マイクロプロセッサーに送信する通信インターフェースと、
前記マイクロプロセッサーの受け取った作業アレンジメントを記憶するための作業アレンジメントレコーダーと、を少なくとも有することを特徴とする、プログラマブル電源出力式無停電電源装置。
【請求項２】
前記クロックジェネレーターが直接的に前記マイクロプロセッサーの内部に配置されることを特徴とする、請求項１に記載のプログラマブル電源出力式無停電電源装置。
【請求項３】
前記作業アレンジメントレコーダーが直接的に前記マイクロプロセッサーの内部に配置されることを特徴とする、請求項１に記載のプログラマブル電源出力式無停電電源装置。
【請求項４】
前記マイクロプロセッサーを介して作業アレンジメントを直接的に設定できるコントローラをさらに有することを特徴とする、請求項１に記載のプログラマブル電源出力式無停電電源装置。
【請求項５】
前記コントローラを介して前記出力電源コントロールスイッチを即刻にコントロールできるようにすることを特徴とする、請求項４に記載のプログラマブル電源出力式無停電電源装置。
【考案の詳細な説明】
【０００１】
【考案の属する技術分野】
本考案は、プログラマブル電源出力式無停電電源装置に係わり、特にコンピュータやＰＤＡなどに対し通信インターフェースを介して電源作業アレンジメントを設定するためのプログラマブル電源出力式無停電電源装置に関するものである。
【０００２】
【従来の技術及びその課題】
従来の無停電電源装置（ＵＰＳ）の場合では、入力電源がノーマルにならない時に瞬時に内部のバッテリ電源に転換して電力の出力を継続させることによって無停電の目的を図るものであり、しかしながら、この類の従来の無停電電源装置の場合では、大部分が単に電気が切れる場合に電力を継続させる機能しか有さず、システムの整合の出力電源管理に応用しようとする場合、従来の無停電電源装置はすべて単独的に電源の管理を達成できず、他のホスト装置と無停電電源装置とをオンラインの方式によって合わせることにより実施しなければならなく、且つホスト装置によって出力電源の作業アレンジメントをコントロールする必要があり、入力電源がノーマルにならない場合に、無停電電源装置によって電源の供給を接続することに転換するが、作業アレンジメントは依然としてホスト装置によって実行しなければならない。
【０００３】
前記の説明から分かるように、従来の無停電電源装置はシステム整合の電源管理に応用される場合に依然として多くの課題を有し、良好的なデザインではなく、至極改善される必要がある。
【０００４】
本考案の考案者は、前記の従来の無停電電源装置に生じるそれぞれの課題に鑑みて、研究開発を進めると共に、学術の運用を合わせて極めた結果、とうとう本考案のプログラマブル電源出力式無停電電源装置を提出するに至った。
【０００５】
【考案の目的】
本考案は、システム整合の電源管理に応用でき、外部の設備を介して出力電源の作業アレンジメントを設定できると共に、その作業アレンジメントを無停電電源装置の作業アレンジメントレコーダーに記憶でき、出力電源をコントロール可能にする目的を図れるプログラマブル電源出力式無停電電源装置を提供することをその主要な目的とする。
【０００６】
また、本考案は、コントローラを配置し、それによって直接的に作業アレンジメントを設定すると共に、電源の出力状態を即時的にコントロール可能な目的を図れるプログラマブル電源出力式無停電電源装置を提供することをその次の目的とする。
【０００７】
また、本考案は、コントローラの権力を元の設定の電源出力の作業アレンジメント状態より高くならせるようにし、それによって非常時にコントローラによって即刻的に電源を出力する必要があるかどうかを設定できる、プログラマブル電源出力式無停電電源装置を提供することをその他の目的とする。
【０００８】
また、本考案は、入力電源がノーマルになるか否かに拘らず、すべて設定された電源出力の作業アレンジメントに従って電源を設備端に出力することができるようにするプログラマブル電源出力式無停電電源装置を提供することをその他の目的とする。
【０００９】
【課題を解決するための手段】
前記の目的を図るために、本考案は、通信インターフェースと、マイクロプロセッサーと、作業アレンジメントレコーダーと、クロックジェネレーターと、入力電圧電流検出電気回路と、ＤＣ／ＡＣ転換電気回路と、バッテリと、チャージング電気回路と、切換スイッチと、出力電源コントロールスイッチとを含み、本考案は、コンピュータやＰＤＡや他の設備などによって通信インターフェースを介して電源出力の作業アレンジメントを設定できると共に、マイクロプロセッサーによって設定される作業アレンジメントを作業アレンジメントレコーダーに記録でき、且つクロックジェネレーターのクロックと作業アレンジメントレコーダーの作業アレンジメントとを合わせることによって出力電源コントロールスイッチが電源出力を実行するかどうかをコントロールできるようにし、外部入力の電源がノーマルにならない場合に、内部のバッテリ電源の転換によって電源を設定される作業アレンジメントに従って出力するように設定される、プログラマブル電源出力式無停電電源装置を提供する。
【００１０】
以下に添付図面を参照しながら本考案の好適な実施の形態を詳細的で具体的に説明する。
【００１１】
【考案の実施の形態】
図１に示すように、本考案の入力電源が一般のＡＣ電源に接続され、且つコンピュータやＰＤＡや他の設備１１などによって電源出力の作業アレンジメントを設定すると共に、設定される作業アレンジメントを本考案の内部に記憶することによって電源を設備端１３に供給するかどうかのことをコントロール可能にし、且つ外部入力のＡＣ電源がノーマルにならない場合に内部のバッテリ電源に転換してから電源を設定される作業アレンジメントに従って設備端１３に出力できるようにし、他に、本考案にはコントローラ１２を増設することによって非常時に直接的にコントローラ１２によって電源を設備端１３に出力するかどうかをコントロールするようにする。
【００１２】
図２に示すように、本考案の提供するプログラマブル電源出力式無停電電源装置には、主に、通信インターフェース２０１と、マイクロプロセッサー２０２と、作業アレンジメントレコーダー２０３と、クロックジェネレーター２０４と、入力電圧電流検出電気回路２０５と、ＤＣ／ＡＣ転換電気回路２０６と、バッテリ２０７、チャージング電気回路２０８と、切換スイッチ２０９と、出力電源コントロールスイッチ２１０とを備え、そのうち、前記切換スイッチ２０９にはａ，ｂ，ｃの三つの接点を有し、前記ａ点が一般のＡＣ電源に接続され、前記ｂ点がＤＣ／ＡＣ転換電気回路２０６と接続され、且つ前記ｃ点が出力電源コントロールスイッチ２１０とチャージング電気回路２０８と接続される。
【００１３】
また、前記入力電圧電流検出電気回路２０５が受け取ったＡＣ電源を検出し、且つ検出結果をマイクロプロセッサー２０２に送信する。
【００１４】
また、前記クロックジェネレーター２０４がクロックデータを生成すると共に、それらのクロックデータをマイクロプロセッサー２０２に送信する。
【００１５】
また、前記通信インターフェース２０１がコンピュータやＰＤＡや他の設備１１と接続しあい、且つコンピュータやＰＤＡや他の設備１１などを介して作業アレンジメントを設定できると共に、設定される作業アレンジメントをマイクロプロセッサー２０２に送信できる。
【００１６】
前記作業アレンジメントレコーダー２０３は、設定される作業アレンジメントを記憶するものである。
【００１７】
前記バッテリ２０７がチャージング電気回路２０８と、ＤＣ／ＡＣ転換電気回路２０６と接続しあい、チャージング電気回路２０８のチャージング電源を受け取るか、電源をＤＣ／ＡＣ転換電気回路２０６に伝送する。
【００１８】
一般入力のＡＣ電源がノーマルになる場合、入力電圧電流検出電気回路２０５が検出結果をマイクロプロセッサー２０２に送信し、マイクロプロセッサー２０２より切換スイッチ２０９へコントロール信号を送信し、それによって切換スイッチ２０９にａ，ｃ両点が接続される状態に呈させ、それによってＡＣ電源を出力電源コントロールスイッチ２１０とチャージング電気回路２０８に供給し、且つマイクロプロセッサー２０２がコントロール信号を送信することによってチャージング電気回路２０８にチャージング電源をバッテリ２０７に入力させるようにすることによってバッテリ２０７をチャージングし、入力されるＡＣ電源が異常になる場合、前記入力電圧電流検出電気回路２０５が検出結果をマイクロプロセッサー２０２に送信し、且つマイクロプロセッサー２０２よりコントロール信号を切換スイッチ２０９に送信し、それによって切換スイッチ２０９をｂ，ｃ両点の接続状態にさせ、且つマイクロプロセッサー２０２がコントロール信号をＤＣ／ＡＣ転換電気回路２０６に送信し、それによってＤＣ／ＡＣ転換電気回路２０６によりバッテリ２０７の電源を転換してから出力電源コントロールスイッチ２１０に出力する。
【００１９】
前記マイクロプロセッサー２０２が作業アレンジメントレコーダー２０３に記憶される作業アレンジメントに従うと共に、クロックジェネレーター２０４の生成するクロックデータを合わせることによって、出力電源コントロールスイッチ２１０が電源を設備端に伝送するかをコントロールする。
【００２０】
他に、本考案は、設定される出力電源の作業アレンジメントのほか、他にコントローラ２１１を増設してもよく、当該コントローラ２１１としてコントロールパネルやコントロールスイッチや他の関係のあるコントロール手段などを使用でき、当該コントローラによってマイクロプロセッサー２０２を介して作業アレンジメントを設定できると共に、即刻的にマイクロプロセッサー２０２を介して電源の出力をコントロールでき、それによって即時に電源出力の状態をコントロールできるようになり、また、前記コントローラ２１１の権力を元設定の電源出力の作業アレンジメント状態より高くなるように設定することによって非常時に前記コントローラ２１１によって即刻的に電源を出力するかどうかを設定できるようになる。
【００２１】
また、図３に示すように、前記作業アレンジメントレコーダー２０３またはクロックジェネレーター２０４が直接的にマイクロプロセッサー２０２に配置できる。
【００２２】
【考案の効果】
本考案によるプログラマブル電源出力式無停電電源装置は、前記従来技術と相互に比較すると、さらに下記のような優れた点を有する。
１．本考案によるプログラマブル電源出力式無停電電源装置は、システム整合の電源管理に応用でき、外部の設備を介して出力電源の作業アレンジメントを設定できると共に、その作業アレンジメントを無停電電源装置の作業アレンジメントレコーダーに記憶でき、出力電源の管理制御の目的を図れ、余分にホスト装置を配置してオンライン方式によって電源出力の作業アレンジメントをコントロールする必要はない。
２．本考案によるプログラマブル電源出力式無停電電源装置は、コントローラを増設してもよく、それによって直接的に作業アレンジメントを設定できるほかに、即時に電源の出力状態をもコントロールできる。
３．本考案によるプログラマブル電源出力式無停電電源装置は、前記コントローラの権力を元設定の電源出力の作業アレンジメント状態より高くなるように設定することによって非常時に前記コントローラによって即刻的に電源を出力するかどうかのことを設定できるようになる。
４．本考案によるプログラマブル電源出力式無停電電源装置は、入力する電源がノーマルになるかどうかに拘らず、すべて設定される電源出力の作業アレンジメントに従って電源を設備端に出力できる。
【００２３】
前記に説明したのは、本考案のある具体的な実施の形態であり、本考案の主張範囲を狭義的に制限するものではなく、本考案の技術の要旨による、相同効果を有する実施または変更などがすべて本考案の請求範囲内に納入されるべき事は言うまでもないことである。
【図面の簡単な説明】
【図１】本考案のプログラマブル電源出力式無停電電源装置の実施状態を示す説明図である。
【図２】本考案のプログラマブル電源出力式無停電電源装置の第一の実施の形態を示すブロック図である。
【図３】本考案のプログラマブル電源出力式無停電電源装置の第二の実施の形態を示すブロック図である。
【符号の説明】
１１　　　コンピュータやＰＤＡや他の設備
１２　　　コントローラ
１３　　　設備端
２０１　　通信インターフェース
２０２　　マイクロプロセッサー
２０３　　作業アレンジメントレコーダー
２０４　　クロックジェネレーター
２０５　　入力電圧電流検出電気回路
２０６　　ＤＣ／ＡＣ転換電気回路
２０７　　バッテリ
２０８　　チャージング電気回路
２０９　　切換スイッチ
２１０　　出力電源コントロールスイッチ
２１１　　コントローラ
【図１】
0003097578.tif 000003
【図２】
0003097578.tif 000004
【図３】
0003097578.tif 000005